(57)【要約】【課題】防災頭巾自体をタオルや包帯として活用することができ、災害発生時であっても持ち出しやすい防災頭巾を提供する。【解決手段】頭巾本体１と内布２からなる防災頭巾であって、頭巾本体１は薄手の布からなり、内布２はタオル地からなり、頭巾本体１の前縁１ｅと内布２の前縁２ｅが留め部材３で着脱可能に留められており、頭巾本体１と内布２のそれぞれの上縁同士及び後縁同士の一部若しくは全部が糸で取り外し可能に取り付けられている。主に薄手の布とタオル地とで作られているため嵩張らない構成となっている。普段の生活において邪魔にならず、手元に置いておくことができるため、災害発生時であっても防災頭巾を持ち出しやすい。内布２は、手で容易に頭布本体から外すことができる。取り外した内布２は、タオル地で作られているため、避難後の生活においてタオルや包帯として活用することができる。【選択図】図１
0003143825.tif 000002
【実用新案登録請求の範囲】
【請求項１】
頭巾本体と内布からなる防災頭巾であって、
該頭巾本体は薄手の布からなる２枚の側辺布部からなり、
該２枚の側辺布部の上縁同士及び後縁同士が繋がっており、
かつ前縁同士及び下縁同士は互いに分離しており、
前記内布はタオル地からなる２枚の側辺タオル部からなり、
該２枚の側辺タオル部の上縁同士及び後縁同士が繋がっており、
かつ前縁同士及び下縁同士は互いに分離しており、
前記内布は前記頭巾本体の裏面に取り付けられている
ことを特徴とする防災頭巾。
【請求項２】
前記頭巾本体の前縁と前記内布の前縁に留め部材が設けられており、
該頭巾本体の前縁と該内布の前縁が該留め部材で着脱可能に留められており、
前記頭巾本体と前記内布のそれぞれの上縁同士及び後縁同士の一部若しくは全部が糸で取り外し可能に取り付けられている
ことを特徴とする請求項１記載の防災頭巾。
【請求項３】
前記内布の上縁及び後縁の片方若しくは全部が糸で分離可能に縫い合わされている
ことを特徴とする請求項２記載の防災頭巾。
【請求項４】
前記頭巾本体の前記留め部材が該頭巾本体の表面に設けられており、
前記内布の前縁近傍が該頭巾本体の前縁から露出しており、
該露出部は該頭巾本体の前縁で外側に折り返さており、
該頭巾本体の表面に留め部材で着脱可能に取り付けられている
ことを特徴とする請求項２又は３記載の防災頭巾。
【請求項５】
前記頭巾本体に呼子笛が取り付けられている
ことを特徴とする請求項１、２、３又は４記載の防災頭巾。
【請求項６】
前記頭巾本体に懐中電灯が取り付けられている
ことを特徴とする請求項１、２、３又は４記載の防災頭巾。
【考案の詳細な説明】
【技術分野】
【０００１】
本考案は、防災頭巾に関する。さらに詳しくは、避難後の生活にも活用できる防災頭巾に関する。
【背景技術】
【０００２】
従来の防災頭巾は、頭部を保護することを主眼としており、袋状の生地に綿を入れて表面にキルティングを施すなど、厚手の素材で作られるのが一般的であった。
しかし、このような構成であると、避難時に頭部を保護するという目的以外に防災頭巾を活用することができず、嵩張ることから日常生活においては邪魔になるばかりか、避難後の生活においては全く活用することができないという問題がある。
【０００３】
そこで、避難後の生活においても活用することのできる防災頭巾が提案された。その一例として、特許文献１の従来技術がある。この従来技術は、頭巾の一部に懐中電灯や携帯ラジオを縫い込んだことを特徴とする防災頭巾である。従って、頭巾を持ち出すことができれば、懐中電灯や携帯ラジオも一緒に持ち出すことができ、避難後の生活においても使用することができるものである。しかし、活用することができるのは、持ち出すことの出来た懐中電灯や携帯ラジオであって、頭巾自体を活用することはできない。
また、頭巾自体が厚手のクッション素材からなる構造であるから、日常生活においては嵩張って邪魔になる。その結果、普段は余り使わない収納棚や押入れに収納してしまうおそれが高い。災害発生時には、停電のため暗闇であったり、人も動転しているので収納場所をとっさに思い出せなかったりし、結局は持ち出すことが出来ず、役に立たないという問題もある。
【０００４】
【特許文献１】特開２０００−１１９９１１
【考案の開示】
【考案が解決しようとする課題】
【０００５】
本考案は上記事情に鑑み、防災頭巾自体をタオルや包帯として活用することができ、災害発生時であっても持ち出しやすい防災頭巾を提供することを目的とする。
【課題を解決するための手段】
【０００６】
第１考案の防災頭巾は、頭巾本体と内布からなる防災頭巾であって、該頭巾本体は薄手の布からなる２枚の側辺布部からなり、該２枚の側辺布部の上縁同士及び後縁同士が繋がっており、かつ前縁同士及び下縁同士は互いに分離しており、前記内布はタオル地からなる２枚の側辺タオル部からなり、該２枚の側辺タオル部の上縁同士及び後縁同士が繋がっており、かつ前縁同士及び下縁同士は互いに分離しており、前記内布は前記頭巾本体の裏面に取り付けられていることを特徴とする。
第２考案の防災頭巾は、第１考案において、前記頭巾本体の前縁と前記内布の前縁に留め部材が設けられており、該頭巾本体の前縁と該内布の前縁が該留め部材で着脱可能に留められており、前記頭巾本体と前記内布のそれぞれの上縁同士及び後縁同士の一部若しくは全部が糸で取り外し可能に取り付けられていることを特徴とする。
第３考案の防災頭巾は、第１考案において、前記内布の上縁及び後縁の片方若しくは全部が糸で分離可能に縫い合わされていることを特徴とする。
第４考案の防災頭巾は、第２又は第３考案において、前記頭巾本体の前記留め部材が該頭巾本体の表面に設けられており、前記内布の前縁近傍が該頭巾本体の前縁から露出しており、該露出部は該頭巾本体の前縁で外側に折り返さており、該頭巾本体の表面に留め部材で着脱可能に取り付けられていることを特徴とする。
第５考案の防災頭巾は、第１、第２、第３又は第４考案において、前記頭巾本体に呼子笛が取り付けられていることを特徴とする。
第６考案の防災頭巾は、第１、第２、第３又は第４考案において、前記頭巾本体に懐中電灯が取り付けられていることを特徴とする。
【考案の効果】
【０００７】
第１考案によれば、本考案の防災頭巾は、主に薄手の布とタオル地とで作られているため嵩張らない構成となっている。そのため普段の生活において邪魔にならず、例えば就寝時の枕元等、手元に置いておくことができるため、災害発生時であっても防災頭巾を持ち出しやすい。また、軽くて暖かいため、長時間着けていても負担にならず、特に子供や高齢者に最適である。さらに、直接肌にあたる部分がタオル地なので、肌触りがよい。
第２考案によれば、内布は、着脱可能な留め部材と取り外し可能な糸とによって頭巾本体に取り付けられている。そのため、避難所にハサミ等がなくても手で容易に頭布本体から外すことができる。取り外した内布は、タオル地で作られているため、避難後の生活においてタオルや包帯として活用することができる。すなわち、避難時に頭部を保護するという目的以外にも活用できる。
第３考案によれば、内布の縫い合わされている縁の一部若しくは全部が、取り外し可能な糸によって縫い合わされている。そのため、頭巾本体から取り外した内布は、避難所にハサミ等がなくても手で容易に展開することができ、使用しやすい形態のタオルとして使用することができる。
第４考案によれば、防災頭巾着用時に、留め部材を外し、内布の露出部を口及び鼻を覆うように展開することができる。そのため、避難時にマスクとして用い、煙等から守ることができる。
第５考案によれば、呼子笛が取り付けられているので、避難時に警鐘として使用できる。頭巾本体に取り付けられているため、避難時に頭巾さえ持ち出せば、忘れることなく呼子笛を持ち出すことができる。
第６考案によれば、懐中電灯が取り付けられているので、避難時および避難後の生活において照明として使用できる。頭巾本体に取り付けられているため、避難時に頭巾さえ持ち出せば、忘れることなく懐中電灯を持ち出すことができる。
【考案を実施するための最良の形態】
【０００８】
つぎに、本考案の実施形態を図面に基づき説明する。
【０００９】
図１は、本考案の第１実施形態における防災頭巾Ａの外観図である。本考案の防災頭巾Ａは側面からみるとおおよそ縦方向に長い長方形をしており、主に頭巾本体１とこの頭巾本体１の裏面に取り付けられた内布２からなる。
前記頭巾本体１は、長方形の薄手の布を、長さ方向の中央部分で折り返した２枚の側辺布部１ａ、１ｂからなり、この２枚の側辺布部１ａと側辺布部１ｂの長さ方向の一辺を縫い合わせて作られている。また、残りの２辺は互いに分離している。折り返し部１ｃを上縁、縫い合わせ部１ｄを後縁としたとき、上縁が着用時の頭頂部に対応し、後縁が後頭部に対応する。側辺布部１ａと側辺布部１ｂの前縁１ｅと下縁１ｆは、着用時にはそれぞれ顔前部と頚部に対応する。
縫い合わせ部１ｄは、表面が内側になるように折り返した状態で縫い合わせることにより、縫い代が裏面に来るようにすることが好ましい。また、分離している前縁１ｅおよび下縁１ｆは、三つ折り縫いにするなどして強度を保つことが好ましい。布の材質は薄手で、ある程度の強度が保てるものであれば何を用いてもよい。
【００１０】
また上述のとおりａ）折り返し部１ｃを上縁、縫い合わせ部１ｄを後縁とする以外にも、ｂ）折り返し部１ｃを後縁、縫い合わせ部１ｄを上縁にしてもよい。さらに、ｃ）２枚の布の２辺を縫い合わせ、それぞれを上縁、後縁としてもよい。これらは製造工程において最適な方法を選択すればよい。請求項１記載の「２枚の側辺布部」には上記ａ）、ｂ）、ｃ）の３タイプが含まれる。
【００１１】
前記内布２は、頭巾本体１とおおよそ同様の形態をしているが、縦方向の長さが頭巾本体１に比べて短く、前後方向の長さが頭巾本体１に比べて長い。この内布２は、長方形のタオル地を、長さ方向の中央部分で折り返した２枚の側辺タオル部２ａ、２ｂからなり、この２枚の側辺タオル部２ａと側辺タオル部２ｂの長さ方向の一辺を縫い合わせて作られている。また、残りの２辺は互いに分離している。頭巾本体１と同様に、折り返し部２ｃを上縁、縫い合わせ部２ｄを後縁としたとき、上縁が着用時の頭頂部に対応し、後縁が後頭部に対応する。側辺タオル部２ａと側辺タオル部２ｂの前縁２ｅと下縁２ｆは、着用時にはそれぞれ顔前部と頚部に対応する。
【００１２】
また前記頭巾本体１と同様に、ｄ）折り返し部２ｃを上縁、縫い合わせ部２ｄを後縁とする以外にも、ｅ）折り返し部２ｃを後縁、縫い合わせ部２ｄを上縁にしてもよい。さらに、ｆ）２枚のタオル地の２辺を縫い合わせ、それぞれを上縁、後縁としてもよい。請求項１記載の「２枚の側辺タオル部」には上記ｄ）、ｅ）、ｆ）の３タイプが含まれる。
【００１３】
このように本考案の防災頭巾Ａは、主に薄手の布とタオル地とで作られているため嵩張らない構成となっている。そのため普段の生活において手元に置いても邪魔にならない。例えば就寝時に枕元に置いておいても邪魔にならない。すなわち、本考案の防災頭巾Ａは、嵩張らない構成とすることにより、災害発生時でも持ち出しやすいものを実現している。
また、主に布でできているため軽く、内布２がタオル地でできており暖かいため、長時間つけていても負担にならず、特に子供や高齢者等の体力の乏しい人に最適である。
さらに、直接肌にあたる内布２がタオル地でできているため肌触りが良い。
【００１４】
第１実施形態における前記内布２は前後方向の長さが頭巾本体１に比べて長いので、その内布２を頭巾本体１の内側に取り付けると、内布２の前縁２ｅ近傍は頭巾本体１の前縁１ｅより前方に露出する。その内布２の露出した部分は頭巾本体１の前縁１ｅで外側に折り返され露出部２ｇを形成する。
その露出部２ｇと頭巾本体１の表面とを着脱可能に留めるため頭巾本体１の表面と内布２の前縁２ｅには留め部材３が設けられている。図２に示すように、留め部材３を外すと、内布２の露出部２ｇを前方へ展開することができる。留め部材３には例えばマジックテープ（登録商標）やホック等、着脱の簡単なものを用いればよい。また、前縁２ｅのすべてを留める必要はなく、数か所留めるだけで十分である。この内布２は取り外すと通常のタオルとして使用するため、マジックテープ（登録商標）やホックは、できるだけ小さいものが好ましい。また、これらのマジックテープ（登録商標）やホックも取り外し可能であると、より好ましい。さらに留め部材３として、糸や小さな紐を使用すれば、内布２をタオルとして使用するとき、顔面を痛めないので、これも好ましい。
【００１５】
また、頭巾本体１と内布２は、それぞれの上縁である折り返し部１ｃ、２ｃ同士及び後縁である縫い合わせ部１ｄ、２ｄ同士を仕付け糸２ｈで仮止めする様に縫い合わされている。仕付け糸２ｈは、その一端を持ち、引き抜けば取り除くことが可能である。
上述の通り、内布２は留め部材３と仕付け糸２ｈとで、前縁２ｅ及び上縁である折り返し部２ｃ及び後縁である縫い合わせ部２ｄが頭巾本体１に取り付けられているため、留め部材３を外し、上縁と後縁の仕付け糸２ｈを取り除けば、手で容易に頭巾本体１から内布２を取り外すことができる。
【００１６】
図３は内布２を頭巾本体１から取り外した時の外観図である。前述したとおり、内布２の後縁である縫い合わせ部２ｄは縫い合わされているが、この縫い合わせ部２ｄは仕付け糸２ｉで仮止めする様に縫い合わされている。仕付け糸２ｉは、その一端を持ち、引き抜けば取り除くことが可能であるため、内布２の後縁である縫い合わせ部２ｄは互いに分離することができる。
このような構成にすることで、内布２を頭巾本体１から取り外し、さらに内布２の後縁である縫い合わせ部２ｄを分離することができ、タオル地の内布２を１枚の長方形のタオルとして展開することが可能となっている。
つまり、本考案の防災頭巾Ａは、避難時に頭部を保護するという目的以外にも、避難後の生活において防災頭巾Ａを展開することによってタオルや包帯として活用できる。また、内布２をタオルとして展開するためには道具を必要としないので、避難所にハサミ等がなくても手で容易に展開することができる。
【００１７】
本実施形態において、内布２は、上述のとおりｄ）折り返し部２ｃを上縁、縫い合わせ部２ｄを後縁とする場合には、内布２を展開すると１枚の長方形のタオルとして使用することができる。またｅ）折り返し部２ｃを後縁、縫い合わせ部２ｄを上縁とした場合には、内布２を展開すると１枚のおよそ正方形のタオルとして使用することができる。さらにｆ）２枚のタオル地の２辺を縫い合わせ、それぞれを上縁、後縁とした場合には、内布２を展開すると２枚のタオルとして使用することができる。
【００１８】
図１に示すように、頭巾本体１には、後縁である縫い合わせ部１ｄの首と頭の境界に対応する高さに固定紐７が取り付けられている。固定紐７は布製で十分な長さがあり、固定紐７の中央が頭巾本体１の後縁である縫い合わせ部１ｄに位置し、左右にある程度の長さが縫い付けられている。頭巾本体１に数か所タックをつけて固定紐７を縫いつけると、着用時に頭を包み込む形が形成されるため、好ましい。防災頭巾Ａを着用する際には、左右の固定紐７を顎部付近で結ぶことにより固定する。
【００１９】
図４は、本考案の防災頭巾Ａを着用したときの写真である。防災頭巾Ａ着用時に、下縁２ｆ付近に位置する留め部材３を外すことにより、内布２の露出部２ｇを口および鼻を覆うように展開することができ、その状態を固定紐７で結ぶことで、マスク状に保持することができる。展開した露出部２ｇは固定紐７でそのため、煙のある場所を通る場合等、避難時に必要に応じて露出部２ｇを展開してマスクとし、煙等から守ることができる。
【００２０】
本実施形態の頭巾本体１にはその表面に呼子笛４が取り付けられている。防災頭巾Ａ自体を嵩張らず軽量にするため、呼子笛４は小型かつ軽量であることが好ましい。取り付け箇所の強度の観点から、固定紐７の頭巾本体１に縫い付けられている部分の一端でリング等を結び付け、そのリングに呼子笛４をぶら下げる方が好ましい。
呼子笛４は避難時に警鐘として使用することができる。また、頭巾本体１に取り付けられているため、災害発生時に防災頭巾Ａさえ持ち出せば、忘れることなく呼子笛４を持ち出すことができる。
【００２１】
さらに、頭巾本体１にはその表面に懐中電灯５が取り付けられている。懐中電灯５も小型かつ軽量であることが好ましい。また、懐中電灯５も呼子笛４と同様にリングに取り付ける方が好ましい。
懐中電灯５は避難時および避難後の生活において照明として使用することができる。また、頭巾本体１に取り付けられているため、災害発生時に防災頭巾Ａさえ持ち出せば、忘れることなく懐中電灯５を持ち出すことができる。
【００２２】
また、頭巾本体１にはその表面に鈴６が取り付けられている。これにより、避難時に着用者の位置を知らせながら歩行することが可能である。取り付け位置は頭巾本体１の後縁と上縁が交わる角等、着用に邪魔にならない位置であればいずれでもよい。
【００２３】
図５は、本考案の第２実施形態における防災頭巾Ｂの外観図である。第１実施形態と構成はほぼ同じであるので、同一部材に同一符号を付して説明を省略する。本実施例においては、内布２の前縁２ｅ近傍が頭巾本体１の前縁１ｅから外側に折り返されておらず、露出部を形成していないところのみが異なる。これは内布２の前後方向の長さが頭巾本体１に比べて短いためである。それに伴い、留め部材３は頭巾本体１の裏面に設けられている。
この第２実施形態においては、内布２の露出部がないためマスクの代わりとして使用することはできない。しかしそれ以外の効果は第１実施形態の効果と同様である。
【００２４】
このように、主に薄手の布とタオル地からなり、かつタオルとして展開可能な防災頭巾とすることで、防災頭巾自体をタオルや包帯として活用することができ、災害発生時であっても持ち出しやすい防災頭巾とすることができる。
【図面の簡単な説明】
【００２５】
【図１】本考案の第１実施形態になる防災頭巾の外観図である。
【図２】第１実施形態の防災頭巾において内布の露出部を展開した時の外観図である。
【図３】第１実施形態の防災頭巾において内布を頭巾本体から取り外した時の外観図である。
【図４】第１実施形態の防災頭巾を着用したときの写真である。
【図５】本考案の第２実施形態になる防災頭巾の外観図である。
【符号の説明】
【００２６】
Ａ  本考案の第１実施形態になる防災頭巾
１  頭巾本体
１ａ  側辺布部
１ｂ  側辺布部
１ｃ  折り返し部
１ｄ  縫い合わせ部
１ｅ  前縁
１ｆ  下縁
２  内布
２ａ  側辺タオル部
２ｂ  側辺タオル部
２ｃ  折り返し部
２ｄ  縫い合わせ部
２ｅ  前縁
２ｆ  下縁
２ｇ  露出部
２ｈ  仕付け糸
２ｉ  仕付け糸
３  留め部材
４  呼子笛
５  懐中電灯
６  鈴
７  固定紐
Ｂ  本考案の第２実施形態になる防災頭巾
【図１】
0003143825.tif 000003
【図２】
0003143825.tif 000004
【図３】
0003143825.tif 000005
【図５】
0003143825.tif 000006
【図４】
0003143825.tif 000007